(57)【要約】【課題】立坑における遮水を容易に行うことができる遮水構造等を提供する。【解決手段】立坑１の内部は開口１１１を有する隔壁１１によって角落とし設置室１２とメンテナンス室１３に区画され、角落とし設置室１２に、開口１１１を塞ぐための角落とし１４が設置される。角落とし設置室１２の両側には、角落とし１４の両側部分が挿入される溝１２１が設けられ、溝１２１の下部の戸当り面１２１ａは、下方に行くにつれ前方へ向かう傾斜を有している。角落とし１４を角落とし設置室１２内で吊り降ろすと、角落とし１４が上記の戸当り面１２１ａの傾斜に沿って滑り込み、角落とし１４が隔壁１１側に押付けられる。角落とし１４の上端は、立坑１内の水面より下にある。【選択図】図４
2018204280.tif 000002
【特許請求の範囲】
【請求項１】
流路に接続された立坑における遮水構造であって、
開口を有する壁体が前記立坑の内部に設けられ、
前記壁体に隣接する空間に、前記開口を塞ぐための角落としが設置され、
前記空間の両側に、前記角落としの両側部分が挿入される溝が設けられ、
前記溝または前記角落としが、前記角落としの設置時に前記角落としを前記壁体側に押付けるために用いられる押付機構を有することを特徴とする遮水構造。
【請求項２】
前記角落としの上端は、前記立坑内の水面より下にあることを特徴とする請求項１記載の遮水構造。
【請求項３】
前記角落としの前記壁体側の面では、前記開口を囲む位置に止水材が設けられることを特徴とする請求項１または請求項２記載の遮水構造。
【請求項４】
前記溝の戸当り面は、前記押付機構として、鉛直方向に対する傾斜を有することを特徴とする請求項１から請求項３のいずれかに記載の遮水構造。
【請求項５】
前記角落としが、前記戸当り面の傾斜に対応する傾斜を有することを特徴とする請求項４に記載の遮水構造。
【請求項６】
前記角落としは、前記押付機構として、前記角落としを前記壁体側に引込むための引込材を取付ける取付部を有することを特徴とする請求項１から請求項５のいずれかに記載の遮水構造。
【請求項７】
前記角落としには、前記押付機構として、前記角落としを前記壁体側に押付けるための押付材が、前記壁体と反対側の面に取付けられていることを特徴とする請求項１から請求項６のいずれかに記載の遮水構造。
【請求項８】
前記押付材は、バネ部材であることを特徴とする請求項７記載の遮水構造。
【請求項９】
前記押付材は、膨張可能な袋体であることを特徴とする請求項７記載の遮水構造。
【請求項１０】
前記角落としは、中空部を有する上下複数段のユニットから構成されることを特徴とする請求項１から請求項９のいずれかに記載の遮水構造。
【請求項１１】
前記流路は、発電所における海水の取水路または放水路であることを特徴とする請求項１から請求項１０のいずれかに記載の遮水構造。
【発明の詳細な説明】
【技術分野】
【０００１】
本発明は、流路に接続された立坑における遮水構造に関する。
【背景技術】
【０００２】
火力発電所等の発電所では、タービンを冷却するために大量の海水が使用される。取水した海水をタービンまで流す設備として取水路があり、タービンの冷却に使用した海水を放流する設備として放水路がある。一般的に取水路、放水路にはシールドトンネルや函渠などが用いられ、その両側に立坑が設置される。
【０００３】
立坑の例を示すのが図２０（ａ）であり、立坑１００および立坑１００に接続された流路２００（取水路または放水路）について、海水の流れ方向に沿った鉛直断面を見たものである。
【０００４】
立坑１００は、開口１１０１を有する隔壁１１０によって角落とし設置室１２０とメンテナンス室１３０に平面上区画される。角落とし設置室１２０は、角落としによる遮水を行うために設けられる。メンテナンス室１３０は、流路２００内の貝殻落としや泥の除去等のメンテナンス、および流路２００の点検等の際に小型重機や作業員が入るために設けられる。
【０００５】
流路２００の両側の立坑１００において、図２０（ｂ）に示すように角落とし設置室１２０に板状の角落とし３００を設置して開口１１０１を塞いで遮水を行い、その後、立坑１００間の流路２００やメンテナンス室１３０等を排水し、メンテナンス室１３０から流路２００内に小型重機や作業員を入れてメンテナンス等を行う。
【０００６】
角落とし３００は、遮水時以外では立坑１００近傍に仮置きされ、遮水時にのみクレーン等からワイヤーで角落とし設置室１２０に吊り込み、設置される。ワイヤーは角落とし３００の設置後、回収する。特許文献１にはこのような角落としの例が記載されている。
【０００７】
角落とし３００は基本的には略矩形状の板材であり、プレストレストコンクリート製、鉄筋コンクリート製、鋼製のものがある。立坑１００の水深が大きい場合、角落とし３００は、クレーンで吊り易い重量となる大きさで複数製作され、立坑１００内の水面より上の高さまで複数段積み上げて設置される。
【０００８】
角落とし３００の前面には止水ゴム（不図示）が配置されており、前記のように排水を行うと、角落とし３００が両側の水圧差によって隔壁１１０に押付けられ、止水ゴムが潰されて遮水が可能となる。角落とし３００の設置時には、角落とし３００の後側に楔（不図示）を打込み、角落とし３００を隔壁１１０に予め押付けて止水ゴムを隔壁１１に接触させておく。このような角落とし３００の設置時においては、楔の打込みおよび上記したワイヤーの取外しのため、角落とし設置室１２０に潜水士が潜って潜水作業を行う必要がある。
【０００９】
流路２００のメンテナンス等を終えると、排水していた流路２００等に海水を入れて角落とし３００の両側の水位差を０とし、楔を取外して角落とし３００にワイヤーを取付け、角落とし３００をクレーン等で吊り上げて撤去する。角落とし３００の撤去は上段のものから順次行われる。角落とし３００の撤去時にも、角落とし設置室１２０に潜水士が潜って潜水作業を行う必要がある。
【先行技術文献】
【特許文献】
【００１０】
【特許文献１】実公平07-38362号公報
【発明の概要】
【発明が解決しようとする課題】
【００１１】
立坑１００の水深が大きい場合、狭い角落とし設置室１２０に潜水士が潜っての潜水作業は難しく、安全上の問題もあり工事費も高くなる。特に楔を打込んで角落とし３００を隔壁１１０に押付ける作業は、角落とし３００が重量物であり、また潜水作業となることから困難である。
【００１２】
さらに、立坑１００の水深が大きいと多数の角落とし３００が必要になり、角落とし３００の設置、撤去が煩雑になる。また角落とし３００の地上での仮置きにもかなりのスペースを必要とする。
【００１３】
特許文献１は角落としを用いた遮水を行うものであるが、上記したように角落としを隔壁に押し当てるものではなく、また一枚ものの角落としを用いるので立坑１００の水深が大きいと大きなサイズの角落としが必要になり、その重さによりクレーン等で吊り降ろすのが困難になる。
【００１４】
本発明は上記の問題に鑑みてなされたものであり、立坑における遮水を容易に行うことができる遮水構造等を提供することを目的とする。
【課題を解決するための手段】
【００１５】
前述した課題を解決するための本発明は、流路に接続された立坑における遮水構造であって、開口を有する壁体が前記立坑の内部に設けられ、前記壁体に隣接する空間に、前記開口を塞ぐための角落としが設置され、前記空間の両側に、前記角落としの両側部分が挿入される溝が設けられ、前記溝または前記角落としが、前記角落としの設置時に前記角落としを前記壁体側に押付けるために用いられる押付機構を有することを特徴とする遮水構造である。
【００１６】
本発明では、角落としや角落としのガイド用の溝が角落としの押付けに用いる押付機構を予め有していることで、前記したような角落とし設置室に潜水士が潜っての潜水作業を軽減ないしは省略することが可能になり、立坑において角落としによる遮水を容易に行うことができる。
【００１７】
前記角落としの上端は、前記立坑内の水面より下にある。
本発明では押付機構を用いて角落としによる遮水を確実に行うことができるので、角落としは開口を塞ぐための最小限に近いサイズを有していればよく、立坑内の水面より上まで積み重ねる必要がない。従って角落としの設置、撤去が容易になり、地上での仮置きにスペースを要することもない。
【００１８】
前記角落としの前記壁体側の面では、前記開口を囲む位置に止水材が設けられる。
本発明では、角落としを壁体側に押付けることによって止水材が潰れ、確実な遮水を行うことが可能である。
【００１９】
前記溝の戸当り面は、前記押付機構として、鉛直方向に対する傾斜を有することが望ましい。また、前記角落としが、前記戸当り面の傾斜に対応する傾斜を有することも望ましい。
この場合、角落としが戸当り面の傾斜に沿って滑り込むことで、角落としに壁体側への押付力を付与することができる。角落としが戸当り面の傾斜に応じた傾斜を有していることで、滑り込みがスムーズになり、押付力の付与の面でも好適である。
【００２０】
前記角落としは、前記押付機構として、前記角落としを前記壁体側に引込むための引込材を取付ける取付部を有することが望ましい。
この場合、角落としを例えば前記した隔壁等の壁体側に引込むことによって、角落としを壁体に押付けることができる。角落としの引込みは、例えば前記したメンテナンス室等において壁体側からできるので、前記したような狭い角落とし設置室に潜水士が入っての潜水作業は必要無い。
【００２１】
また、前記角落としには、前記押付機構として、前記角落としを前記壁体側に押付けるための押付材が、前記壁体と反対側の面に取付けられていることが望ましい。前記押付材は例えばバネ部材であるが、膨張可能な袋体であってもよい。
これらの押付材によっても角落としを壁体側に押付けることができる。押付材としてバネ部材や袋体を用いることで、安価且つ確実な遮水が可能になる。
【００２２】
また、前記角落としは、中空部を有する上下複数段のユニットから構成されることも望ましい。
流路や開口のサイズが大きく、大きな角落としが必要となる場合には、角落としを中空部を有する複数のユニットから構成することで軽量化でき、運搬や設置が容易になる。遮水時には、例えばユニットを組立てながら吊り込むことで一個の角落しとできる。角落としの吊り降ろし時には、中空部に対する注水により角落としを吊り降ろすのに十分な重量を確保でき、角落としの撤去時には中空部の排水を行うことでこれを容易に吊り上げることができる。
【００２３】
前記流路は、例えば発電所における海水の取水路または放水路である。
本発明は発電所における海水の取水路や放水路に適用することで、従来これらの遮水に要していた潜水士による潜水作業を軽減ないしは省略し、角落としによる遮水を容易に行うことができる。
【発明の効果】
【００２４】
本発明により、立坑における遮水を容易に行うことができる遮水構造等を提供することができる。
【図面の簡単な説明】
【００２５】
【図１】立坑１と流路２の概略を示す図。
【図２】立坑１を示す図。
【図３】角落とし１４を示す図。
【図４】角落とし１４の設置について説明する図。
【図５】角落とし１４の設置について説明する図。
【図６】角落とし１４ａを示す図。
【図７】立坑１ａを示す図。
【図８】角落とし１４ａの設置について説明する図。
【図９】角落とし１４ａの設置について説明する図。
【図１０】立坑１ｂを示す図。
【図１１】角落とし１４ｂの設置について説明する図。
【図１２】立坑１ｃを示す図。
【図１３】角落とし１４ｃの設置について説明する図。
【図１４】立坑１ｄを示す図。
【図１５】角落とし１４ｄの設置について説明する図。
【図１６】角落とし１４ｅを示す図。
【図１７】角落とし１４ｅの断面を示す図。
【図１８】角落とし１４ｅの設置について説明する図。
【図１９】角落とし１４ｅの設置について説明する図。
【図２０】立坑１００を示す図。
【発明を実施するための形態】
【００２６】
以下、図面に基づいて本発明の好適な実施形態について詳細に説明する。
【００２７】
［第１の実施形態］
（１．立坑１）
図１は本発明の遮水構造の実施形態に係る立坑１と流路２の概略を示す図である。立坑１は、前記と同様、火力発電所等の発電所のタービン冷却用の海水（流体）が流れる取水路または放水路（流路２）の両側において、遮水及びメンテナンス等のために設けられる。
【００２８】
図２は立坑１を示す図である。図２（ａ）は海水の流れ方向に沿った鉛直断面を示す図であり、図２（ｂ）は図２（ａ）の線Ａ−Ａに沿った水平断面を示す図である。図２の立坑１は、図１の左側の立坑１に対応するものとする。
【００２９】
立坑１は有底筒状のコンクリート構造物である。立坑１の平面は略矩形状であるが、これに限ることはない。
【００３０】
立坑１の下部の両側は流路２に接続される。流路２は、地中に設けられたシールドトンネル等の内部に形成される。本実施形態では流路２が地下10〜30m程度の深さにあり、立坑１もこれに合わせた大深度のものとなっている。
【００３１】
立坑１の平面は、立坑１の内部にある略鉛直方向の隔壁１１（壁体）により角落とし設置室１２とメンテナンス室１３に区画され、これらの室空間が隔壁１１に隣接する。隔壁１１の下部には開口１１１が設けられる。後述する図５（ｂ）に示すように、開口１１１は略円形となっている。
【００３２】
角落とし設置室１２は板状の角落としを設置するための室空間である。角落とし設置室１２の底部および幅方向の両側には、角落としを挿入してその位置決めを行うための溝１２１が設けられる。角落とし設置室１２の幅方向は、図２（ｂ）の上下方向に対応する。
【００３３】
溝１２１の前後の壁面は、角落とし設置室１２の幅方向に沿った戸当り面１２１ａとなる。前側の戸当り面１２１ａは隔壁１１と連続するように設けられる。ここで、「前」とは隔壁１１側をいうものとし、図２（ａ）、（ｂ）の右側に対応する。「後」とは隔壁１１の反対側をいうものとし、図２（ａ）、（ｂ）の左側に対応する。
【００３４】
メンテナンス室１３は、流路２のメンテナンスや点検等を行う際に、小型重機や作業員等の出入りに用いる室空間である。
【００３５】
（３．角落とし１４）
図３は本実施形態の遮水構造で用いる角落とし１４を示す図である。角落とし１４は前記した開口１１１を塞いで遮水を行うためのものであり、略矩形板状の本体１４１を有する。本体１４１にはコンクリートや鋼材が用いられる。本体１４１の前面には、止水材として、環状の止水ゴム１４３が設けられる。
【００３６】
角落とし設置室１２の両側の溝１２１に挿入する本体１４１の両側部分には、略直角三角形状の傾斜金具１４２が設けられる。傾斜金具１４２はボルトなどによって本体１４１に取付けても良いし、本体１４１と一体に製作しても良い。傾斜金具１４２は本体１４１の後面に設けられ、下方にゆくにつれ前方に向かう傾斜を有している。
【００３７】
図２（ａ）に示すように、溝１２１の上部は略一定の幅Ｈで略鉛直方向に設けられる。この幅Ｈは角落とし１４の最大厚（角落とし１４の上端の厚さ）よりやや（例えば10cm程度）大きい。一方、溝１２１の下部では、後側の戸当り面１２１ａが下方に行くにつれ前方に向かう傾斜（鉛直方向に対する傾斜）を有しており、これにより溝１２１の幅Ｈが徐々に減少し、底部で角落とし１４の下端の厚さと同程度になる。上記した戸当り面１２１ａの傾斜は傾斜金具１４２の傾斜に対応する（傾斜角が同程度である）。
【００３８】
（４．角落とし１４による遮水）
図４（ａ）、（ｂ）は角落とし１４の設置について説明する図である。図４（ａ）は角落とし１４の設置途中を示す図であり、図４（ｂ）は角落とし１４の設置を完了した状態を示す。
【００３９】
角落とし１４は、遮水時以外は立坑１の近傍に仮置きしておき、遮水時にクレーン等からワイヤー（不図示）で吊り下げて図４（ａ）に示すように角落とし設置室１２に吊り込み、図４（ｂ）に示すように角落とし設置室１２の底部まで吊り降して設置する。
【００４０】
角落とし１４の吊り降ろし時には、その両側部分を角落とし設置室１２の両側の溝１２１に挿入し、これにより角落とし１４をガイドする。角落とし１４を吊り降ろすと、溝１２１の下部において、図５（ａ）の矢印ａに示すように角落とし１４が後側の戸当り面１２１ａの傾斜をガイドとして下方へ滑り込み、この時矢印ｂに示すように角落とし１４が隔壁１１側に押付けられ、止水ゴム１４３が開口１１１の周囲の隔壁１１に接触する。
【００４１】
こうして角落とし１４によって開口１１１を塞いだ遮水構造が形成される。上記した戸当り面１２１ａの傾斜は、角落とし１４の設置時に角落とし１４を隔壁１１側に押付ける押付機構として機能する。図４（ｂ）に示すように角落とし１４の下端は角落とし設置室１２の底部の溝１２１に嵌り込むが、溝１２１の底面よりは若干上に位置する。なお、図４では止水ゴム１４３の図示を省略している。
【００４２】
この後、メンテナンス等を行う流路２（図４の右にある流路２）側を排水することで、角落とし１４が水圧差によって隔壁１１に更に押付けられ、止水ゴム１４３が潰れることで確実に遮水することができる。
【００４３】
図５（ｂ）は図４（ｂ）の線Ｂ−Ｂによる断面図である。角落とし１４の立面は隔壁１１の開口１１１より上下左右にやや（例えば30〜40cm程度）大きいサイズであり、開口１１１をカバーしこれを塞ぐことができる。また、角落とし１４の上端は立坑１内の水面より下にある。前記の止水ゴム１４３は、開口１１１を囲むように、開口１１１より若干（例えば20cm程度）外側の位置に配置されている。
【００４４】
以上説明したように、本実施形態によれば、角落とし１４のガイド用の溝１２１が、角落とし１４の押付けに用いる押付機構として戸当り面１２１ａの傾斜を予め有しており、角落とし１４が傾斜に沿って滑り込むことで、角落とし１４に隔壁１１側への押付力を付与することができる。従って、従来の楔設置作業のような角落とし設置室１２に潜水士が潜っての潜水作業を軽減ないしは省略することが可能になり、立坑１において角落とし１４による遮水を容易に行うことができる。
【００４５】
また本実施形態では上記の押付機構を用いて角落とし１４による遮水を確実に行うことができるので、角落とし１４は開口１１１を塞ぐための最小限に近いサイズを有していればよく、立坑１内の水面より上まで積み重ねる必要がない。従って角落とし１４の設置、撤去が容易になり且つ安価であり、地上での仮置きにスペースを要することもない。
【００４６】
また、角落とし１４は戸当り面１２１ａの傾斜に応じた傾斜を有しているので、滑り込みがスムーズになり、押付力の付与の面でも好適である。さらに、角落とし１４の前面において開口１１１を囲む位置に止水ゴム１４３が設けられるので、角落とし１４を隔壁１１側に押付けることによって止水ゴム１４３が潰れ、確実な遮水を行うことが可能である。
【００４７】
しかしながら、本発明はこれに限らない。例えば本実施形態の立坑１は発電所における海水の取水路や放水路に適用されるが、これに限ることはない。ただし、こうした取水路や放水路に本発明を適用することで、従来これらの遮水に要していた潜水士による潜水作業を軽減ないしは省略し、角落とし１４による遮水を容易に行うことができる。
【００４８】
また、本実施形態では開口１１１や流路２の形状が略円形であり、角落とし１４が略矩形状であるが、これらは適宜変更することが可能である。例えば開口１１１が略円形であれば、角落とし１４の下側を略半円形、上側を略矩形状とすることもできる。また、本実施形態では角落とし１４に傾斜金具１４２を取付けたが、傾斜金具１４２と同様の形状をコンクリートによって形成し、角落とし１４全体をコンクリートで一体的に形成しても良い。
【００４９】
以下、本発明の別の例を第２〜第６の実施形態として説明する。各実施形態はそれまでに説明した実施形態と異なる点について主に説明し、同様の点については説明を省略する。また、第１の実施形態も含め、各実施形態で説明する構成は必要に応じて組み合わせて用いることが可能である。
【００５０】
[第２の実施形態]
図６は第２の実施形態の遮水構造で用いる角落とし１４ａを示す図である。角落とし１４ａの本体１４１ａは略矩形板状であるが、その前面が、下方にゆくにつれ後方に向かう傾斜を有しており、厚さ方向の断面が楔状になっている。
【００５１】
図７は第２の実施形態の遮水構造に係る立坑１ａを示す図である。本実施形態でも、溝１２１の上部が角落とし１４ａの最大厚（角落とし１４ａの上端の厚さ）よりやや（例えば10cm程度）大きい略一定の幅Ｈで略鉛直方向に設けられる。一方、溝１２１の下部では、前側の戸当り面１２１ａおよび隔壁１１が下方に行くにつれ後方に向かう傾斜（鉛直方向に対する傾斜）を有しており、これにより溝１２１の幅Ｈが徐々に減少し、底部で角落とし１４ａの下端の厚さと同程度になる。上記した戸当り面１２１ａ等の傾斜は、角落とし１４ａの前面の傾斜に対応する。
【００５２】
図８（ａ）、（ｂ）は角落とし１４ａの設置について説明する図である。図８（ａ）は角落とし１４ａの設置途中を示す図であり、図８（ｂ）は角落とし１４ａの設置を完了した状態を示す。
【００５３】
本実施形態では、角落とし１４ａを吊り降ろすと、溝１２１の下部において、角落とし１４ａが図９の矢印ａ’に示すように前側の戸当り面１２１ａの傾斜をガイドとして下方へ滑り込む。この時角落とし１４ａは矢印ｂ’に示すように後方の戸当り面１２１ａ側に押当てられる。角落とし１４ａはその反力により隔壁１１側に押付けられ、止水ゴム１４３が開口１１１の周囲の隔壁１１に接触する。
【００５４】
こうして角落とし１４ａによって開口１１１を塞いだ遮水構造が形成される。その後の手順は第１の実施形態と同様である。上記した戸当り面１２１ａの傾斜は、角落とし１４ａの設置時に角落とし１４ａを隔壁１１側に押付ける押付機構として機能する。図８（ｂ）に示すように角落とし１４ａの下端は角落とし設置室１２の底部の溝１２１に嵌り込むが、溝１２１の底面よりは若干上に位置する。
【００５５】
本実施形態でも第１の実施形態と同様、立坑１ａにおいて角落とし１４ａによる遮水を行うのが容易になる。なお、本実施形態では前面に傾斜を有する角落とし１４ａをコンクリートで一体に形成したが、第１の実施形態と同様、前面の傾斜を金具によって形成することも可能である。
【００５６】
[第３の実施形態]
図１０は第３の実施形態の遮水構造に係る立坑１ｂを示す図である。本実施形態では、第１の実施形態と同様、溝１２１の上部は略一定の幅Ｈで設けられる。この幅Ｈは後述する角落としの厚さよりやや（例えば10cm程度）大きい。
【００５７】
しかし、溝１２１の途中で、後側の戸当り面１２１ａに下方に行くにつれ前方に向かう傾斜（鉛直方向に対する傾斜）が設けられ、これにより溝１２１の幅Ｈが徐々に減少し、溝１２１の下部は、溝１２１の上部より狭い幅Ｈで略一定になる。この幅Ｈは角落としの厚さと同程度かわずかに（例えば1cm程度）大きい。
【００５８】
図１１（ａ）、（ｂ）は角落とし１４ｂの設置について説明する図である。図１１（ａ）は角落とし１４ｂの設置途中を示す図であり、図１１（ｂ）は角落とし１４ｂの設置を完了した状態を示す。
【００５９】
本実施形態では、角落とし１４ｂとして、第１の実施形態の角落とし１４において傾斜金具１４２を省略したものを用いる。すなわち、角落とし１４ｂは略矩形板状の本体１４１のみからなり、その前面には第１の実施形態と同様の止水ゴムが設けられる。
【００６０】
角落とし１４ｂを前記と同様に吊り降ろすと、溝１２１の途中において、角落とし１４ｂが第１の実施形態と同様後側の戸当り面１２１ａの傾斜をガイドとして下方へ滑り込み、この時角落とし１４ｂが隔壁１１側に押付けられ、前面の止水ゴムが開口１１１の周囲の隔壁１１に接触する。
【００６１】
こうして角落とし１４ｂによって開口１１１を塞いだ遮水構造が形成される。その後の手順は第１の実施形態と同様である。上記した戸当り面１２１ａの傾斜は、角落とし１４ｂの設置時に角落とし１４ｂを隔壁１１側に押付ける押付機構として機能する。角落とし１４ｂの下端は角落とし設置室１２の底部の溝１２１に嵌り込み、当該溝１２１の底面に接する。
【００６２】
これにより、本実施形態でも第１の実施形態と同様、立坑１ｂにおいて角落とし１４ｂによる遮水を行うのが容易になる。
【００６３】
[第４の実施形態]
図１２は第４の実施形態の遮水構造に係る立坑１ｃを示す図である。本実施形態では、角落とし設置室１２の溝１２１が全高さに亘って略一定の幅Ｈで略鉛直方向に設けられる。この幅Ｈは、後述する角落としの本体の厚さよりやや（例えば10cm程度）大きい。また、隔壁１１のメンテナンス室１３側の面あるいはその近傍には、後述する固定アンカー（引込材）の取付材１４４が設けられている。
【００６４】
図１３（ａ）、（ｂ）は角落とし１４ｃの設置について説明する図である。図１３（ａ）は角落とし１４ｃの設置途中を示す図であり、図１３（ｂ）は角落とし１４ｃの設置を完了した状態を示す。
【００６５】
本実施形態では、角落とし１４ｃとして、略矩形板状の本体１４１の前面に固定アンカーの取付用のインサート１４５（取付部）を設けたものを用いる。インサート１４５は例えば埋め込みナット等である。
【００６６】
本実施形態では、角落とし１４ｃを角落とし設置室１２の底部まで吊り降ろした後、メンテナンス室１３に潜水士が潜り、インサート１４５に固定アンカー１４６の一端を取付け、固定アンカー１４６の他端を取付材１４４の孔（不図示）に通してナットを締め込む。これにより角落とし１４ｃを隔壁１１側に引込み、角落とし１４ｃを隔壁１１に押付けて前面の止水ゴムを隔壁１１に接触させる。取付材１４４、インサート１４５、および固定アンカー１４６は、開口１１１の内縁近傍に対応する箇所で、当該内縁に沿って等間隔で４箇所以上設けられる。
【００６７】
こうして角落とし１４ｃによって開口１１１を塞いだ遮水構造が形成される。上記したインサート１４５は、固定アンカー１４６によって角落とし１４ａを隔壁１１側に押付けるために用いる押付機構として機能する。
【００６８】
この後、前記と同様に排水を行うことで、角落とし１４ｃが水圧差によって隔壁１１に更に押し付けられ、止水ゴムが潰れることで確実に遮水することができる。流路２のメンテナンス等を行った後は、固定アンカー１４６等を回収した後、排水していた流路２等に再び海水を満たし、角落とし１４ｃを吊り上げて撤去すればよい。
【００６９】
本実施形態でも、第１の実施形態と同様、立坑１ｃにおいて角落とし１４ｃによる遮水を行うのが容易になる。角落とし１４ｃの引込みは、上記のようにメンテナンス室１３において隔壁１１側からできるので、狭い角落とし設置室１２に潜水士が入って作業を行う必要は無く、角落とし１４ｃによる遮水を安全に行うことができる。また角落とし１４ｃの撤去時には、流路２を海水で満たす前に固定アンカー１４６を回収することで潜水作業が不要になる。
【００７０】
[第５の実施形態]
図１４は第５の実施形態の遮水構造に係る立坑１ｄを示す図である。本実施形態では、第１の実施形態と同様、溝１２１の上部は略一定の幅Ｈで略鉛直方向に設けられる。この幅Ｈは後述する角落としの本体の厚さよりやや（例えば10cm程度）大きい。しかし、溝１２１の途中で、下方に行くにつれ前方に向かう傾斜が後側の戸当り面１２１ａに設けられており、溝１２１の幅Ｈは減少する。溝１２１の下部は、溝１２１の上部より狭い幅Ｈで略一定になる。この幅Ｈは角落としの本体の厚さよりわずかに（例えば5cm程度）大きい。
【００７１】
図１５（ａ）、（ｂ）は角落とし１４ｄの設置について説明する図である。図１５（ａ）は角落とし１４ｄの設置途中を示す図であり、図１５（ｂ）は角落とし１４ｄの設置を完了した状態を示す。
【００７２】
本実施形態では、角落とし１４ｄとして、略矩形板状の本体１４１の後面に板バネ１４７（バネ部材）を取付けたものを用いる。板バネ１４７は、本体１４１の両側部分で上下２箇所に設置される。板バネ１４７の突出高さは8cm程度であり、溝１２１の上部では、後側の戸当り面１２１ａと板バネ１４７の間に若干の（例えば2cm程度の）余裕がある。
【００７３】
本実施形態では、角落とし１４ｄの両側部分を角落とし設置室１２の両側の溝１２１に挿入し、これをガイドとして角落とし１４ｄを底部まで吊り降ろす。溝１２１の上部では角落とし１４ｄはスムーズに下降するが、溝１２１の下部では後側の戸当り面１２１ａによって板バネ１４７を少し潰しながら角落とし１４ｄが下降することとなり、角落とし１４ｄは板バネ１４７の復元力によって隔壁１１側に押付けられ、前面の止水ゴムが隔壁１１に接触する。
【００７４】
こうして角落とし１４ｄによって開口１１１を塞いだ遮水構造が形成される。その後の手順は第１の実施形態と同様である。板バネ１４７は、角落とし１４ｄを隔壁１１に押付ける押付材（押付機構）として機能する。
【００７５】
本実施形態でも第１の実施形態と同様、立坑１ｄにおいて角落とし１４ｄによる遮水を行うのが容易になる。また板バネ１４７を押付材として用いることで、安価且つ確実な遮水が可能になる。
【００７６】
[第６の実施形態]
図１６は第６の実施形態の遮水構造に用いる角落とし１４ｅを示す図である。また図１７（ａ）は角落とし１４ｅの鉛直断面、図１７（ｂ）は角落とし１４ｅの水平断面を示したものである。図１７（ａ）は図１７（ｂ）の線Ｃ−Ｃに沿った断面であり、図１７（ｂ）は図１７（ａ）の線Ｄ−Ｄに沿った断面である。
【００７７】
角落とし１４ｅは、上下複数段のユニット１４０から構成され、全体として略矩形板状のものとなっている。各ユニット１４０には上下に貫通する中空部１４８が複数並べて設けられており、上下のユニット１４０で中空部１４８の位置が対応する。また、少なくともいずれかのユニット１４０（図１７（ａ）の例では最下段のユニット１４０）では、当該ユニット１４０の隣り合う中空部１４８同士を連通させる流路１４９が設けられる。
【００７８】
上下のユニット１４０はボルトやナット等を用いて外側から接合され、最下段のユニット１４０の下面、および最上段のユニット１４０の上面には蓋１５０が設けられる。また、最上段のユニット１４０の蓋１５０を貫通し、中空部１４８内に挿入される管体１５１、１５２も設けられる。
【００７９】
図１８、１９は角落とし１４ｅの設置について説明する図である。本実施形態では、立坑１ｅの角落とし設置室１２の溝１２１の幅Ｈが全深度に亘って略一定である。この幅Ｈは角落とし１４ｅの厚さよりやや（例えば5cm程度）大きい。
【００８０】
本実施形態では、まず図１８（ａ）に示すように最下段の蓋１５０付きのユニット１４０をクレーン等で吊り込み、角落とし設置室１２の上端付近に仮固定手段（不図示）によって固定する。この時、ユニット１４０の後面には、膨張可能なパッカー１５３（袋体）を、萎んだ状態で予め取付けておく。パッカー１５３は、図３の傾斜金具１４２と同様、角落とし設置室１２の両側の溝１２１に挿入されるユニット１４０の両側部分に設置される。
【００８１】
この後、図１８（ｂ）に示すように２段目のユニット１４０をクレーン等で吊り込み、最下段のユニット１４０の上に接合する。そして、図１８（ｃ）に示すように２段目のユニット１４０を角落とし設置室１２の上端付近に仮固定手段（不図示）によって固定する。この後、最上段のユニット１４０をクレーン等で吊り込み、上記と同様、図１８（ｄ）に示すように２段目のユニット１４０の上に接合する。このユニット１４０にも、パッカー１５３が最下段のユニット１４０と同様に取付けられる。各パッカー１５３には送気管（不図示）が予め接続される。
【００８２】
そして、図１９（ａ）に示すように、最上段のユニット１４０の上面に蓋１５０および前記した管体１５１、１５２を取付け、管体１５１を介して各ユニット１４０の中空部１４８に注水を行い、管体１５２から排気を行う。すると、中空部１４８が水２０で満たされ、角落とし１４ｅを水中で吊り降ろすのに十分な重量が得られる。
【００８３】
角落とし１４ｅを角落とし設置室１２の底部（より詳細には溝１２１の底面より若干上の位置）まで吊り降ろした後、各パッカー１５３に地上から送気管を介して高圧の空気を送り込み、図１９（ｂ）に示すようにパッカー１５３を膨張させることで角落とし１４ｅを隔壁１１側に押付け、前面の止水ゴム１４３を隔壁１１に接触させる。
【００８４】
こうして角落とし１４ｅによって開口１１１を塞いだ遮水構造が形成される。パッカー１５３は、角落とし１４ｅを隔壁１１側に押付ける押付材（押付機構）として機能する。
【００８５】
この後、前記と同様に排水を行うことで、角落とし１４ｅが水圧差によって隔壁１１に更に押し付けられ、止水ゴム１４３が潰れることで確実に遮水することができる。
【００８６】
流路２のメンテナンス等を行った後は、排水していた流路２等に再び海水を満たし、パッカー１５３の空気を抜いて萎ませ、管体１５２から高圧の空気を送り込んで角落とし１４ｅ内の水を管体１５１から排水する。すると、角落とし１４ｅが軽くなるので、これを容易に吊り上げることができる。角落とし１４ｅは、角落とし設置室１２の上端近くまで吊り上げたところで最上段のユニット１４０から順次取り外して撤去することができる。
【００８７】
これにより、本実施形態でも第１の実施形態と同様、立坑１ｅにおいて角落とし１４ｅによる遮水を行うのが容易になる。特に本実施形態では、流路２および開口１１１が大きく、大きな角落としが必要となる場合に、中空部１４８を有する複数のユニット１４０から角落とし１４ｅを構成することで軽量化でき、クレーン等による運搬や設置が容易になる。遮水時には、例えばユニット１４０を組立てながら吊り込むことで一個の角落し１４ｅとできる。角落とし１４ｅの吊り降ろし時には、中空部１４８に対する注水を行うことにより角落とし１４ｅを吊り降ろすのに十分な重量を確保でき、角落とし１４ｅの撤去時には中空部１４８の排水を行うことでこれを容易に吊り上げることができる。
【００８８】
また、本実施形態ではパッカー１５３を押付材として用いることで、安価且つ確実な遮水が可能になる。なお、パッカー１５３を押付材として用いた角落としの押付方法は、第４の実施形態や第５の実施形態でも適用可能である。逆に、第４、第５の実施形態と同様の方法で本実施形態の角落とし１４ｅを隔壁１１に押付けることも可能である。また、第１〜３の実施形態の角落としの本体を上記と同様にユニット１４０に分けて形成することもできる。
【００８９】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００９０】
１、１ａ、１ｂ、１ｃ、１ｄ、１ｅ、１００：立坑
２、２００：流路
１１、１１０：隔壁
１２、１２０：角落とし設置室
１３、１３０：メンテナンス室
１４、１４ａ、１４ａ、１４ｂ、１４ｃ、１４ｄ、１４ｅ、３００：角落とし
２０：水
１１１、１１０１：開口
１２１：溝
１２１ａ：戸当り面
１４０：ユニット
１４１、１４１ａ：本体
１４２：傾斜金具
１４３：止水ゴム
１４４：取付材
１４５：インサート
１４６：固定アンカー
１４７：板バネ
１４８：中空部
１４９：流路
１５０：蓋
１５１、１５２：管体
１５３：パッカー
【図１】
2018204280.tif 000003
【図２】
2018204280.tif 000004
【図３】
2018204280.tif 000005
【図４】
2018204280.tif 000006
【図５】
2018204280.tif 000007
【図６】
2018204280.tif 000008
【図７】
2018204280.tif 000009
【図８】
2018204280.tif 000010
【図９】
2018204280.tif 000011
【図１０】
2018204280.tif 000012
【図１１】
2018204280.tif 000013
【図１２】
2018204280.tif 000014
【図１３】
2018204280.tif 000015
【図１４】
2018204280.tif 000016
【図１５】
2018204280.tif 000017
【図１６】
2018204280.tif 000018
【図１７】
2018204280.tif 000019
【図１８】
2018204280.tif 000020
【図１９】
2018204280.tif 000021
【図２０】
2018204280.tif 000022